(57)【要約】【課題】異なるセルに属するユーザ端末間で、Ｄ２Ｄ近傍サービスにおいて送信されるＤ２Ｄ信号を受信可能とする【解決手段】  本発明に係る通信制御方法は、直接的な端末間通信であるＤ２Ｄ通信をサポートする移動通信システムにおいて用いられる。当該通信制御方法は、第１のセルを管理する基地局が、Ｄ２Ｄ設定情報を受信するステップと、前記基地局が、前記Ｄ２Ｄ設定情報に基づいて、前記第１のセルにおける第１のＤ２Ｄリソースを設定するステップと、を備える。前記Ｄ２Ｄ設定情報は、前記第１のセルに隣接する第２のセルにおける第２のＤ２Ｄリソースの設定に関する情報である。【選択図】図７
2015159490.tif 000002
【特許請求の範囲】
【請求項１】
直接的な端末間通信であるＤ２Ｄ通信をサポートする移動通信システムにおいて用いられる通信制御方法であって、
第１のセルを管理する基地局が、Ｄ２Ｄ設定情報を受信するステップと、
前記基地局が、前記Ｄ２Ｄ設定情報に基づいて、前記第１のセルにおける第１のＤ２Ｄリソースを設定するステップと、を備え、
前記Ｄ２Ｄ設定情報は、前記第１のセルと異なる第２のセルにおける第２のＤ２Ｄリソースの設定に関する情報であることを特徴とする通信制御方法。
【請求項２】
前記第１のセル及び前記第２のセルは、異なるＰＬＭＮに属することを特徴とする請求項１に記載の通信制御方法。
【請求項３】
前記第２のセルは、前記第１のセルの隣接セルであることを特徴とする請求項１又は２に記載の通信制御方法。
【請求項４】
前記設定するステップにおいて、前記基地局は、前記第１のＤ２Ｄリソース及び前記第２のＤ２Ｄリソースが時間方向において重複しないように、前記第１のＤ２Ｄリソースを設定することを特徴とする請求項１乃至３の何れかに記載の通信制御方法。
【請求項５】
前記第２のＤ２Ｄリソースの設定に関する情報は、前記第２のセルにおける受信候補のＤ２Ｄリソースの設定に関する情報を含み、
前記設定するステップにおいて、前記基地局は、前記第１のセルにおける受信候補のＤ２Ｄリソースが、前記第１のセルにおける送信候補のＤ２Ｄリソース及び前記第２のセルにおける受信候補のＤ２Ｄリソースを含むように、前記第１のＤ２Ｄリソースを設定することを特徴とする請求項１乃至４の何れかに記載の通信制御方法。
【請求項６】
前記設定するステップにおいて、前記基地局は、前記第１のＤ２Ｄリソース及び前記第２のＤ２Ｄリソースが周波数方向において一致する場合に、前記第１のＤ２Ｄリソースを設定することを特徴とする請求項１乃至５の何れかに記載の通信制御方法。
【請求項７】
前記設定するステップにおいて、前記基地局は、前記第１のＤ２Ｄリソース及び第２のＤ２Ｄリソースが時間方向において一致する場合に、前記第１のＤ２Ｄリソースを設定することを特徴とする請求項１乃至６の何れかに記載の通信制御方法。
【請求項８】
前記設定するステップにおいて、前記基地局は、前記第１のセルに在圏するユーザ端末が、Ｄ２Ｄ近傍サービスで用いられるＤ２Ｄ信号を同時に送受信可能でない場合、前記第１のＤ２Ｄリソースを設定することを特徴とする請求項１乃至７の何れかに記載の通信制御方法。
【請求項９】
前記Ｄ２Ｄ設定情報は、前記第２のＤ２Ｄリソースの配置を示すパラメータ情報を含むことを特徴とする請求項１乃至８の何れかに記載の通信制御方法。
【請求項１０】
前記Ｄ２Ｄ設定情報は、前記第２のＤ２Ｄリソースの設定に基づいて変更を希望する前記第１のＤ２Ｄリソースの設定項目を示す情報を含むことを特徴とする請求項１乃至９の何れかに記載の通信制御方法。
【請求項１１】
前記Ｄ２Ｄ設定情報は、前記第２のＤ２Ｄリソースの設定に基づいて変更を希望する前記第１のＤ２Ｄリソースの配置を示すパラメータ情報を含むことを特徴とする請求項１乃至１０の何れかに記載の通信制御方法。
【請求項１２】
前記第２のセルを管理する隣接基地局が、前記第２のＤ２Ｄリソースを設定した場合に、前記Ｄ２Ｄ設定情報を前記基地局に送信するステップをさらに備えることを特徴とする請求項１乃至１１の何れかに記載の通信制御方法。
【請求項１３】
前記第２のセルを管理する隣接基地局が、前記第２のセルに在圏するユーザ端末から、異なるＰＬＭＮ間において前記Ｄ２Ｄ通信を前記ユーザ端末がサポートしていることを示す情報を受信した場合に、前記Ｄ２Ｄ設定情報を前記基地局に送信するステップをさらに備えることを特徴とする請求項１乃至１２の何れかに記載の通信制御方法。
【請求項１４】
前記第２のセルを管理する隣接基地局が、コアネットワークを介して前記Ｄ２Ｄ設定情報を前記基地局に送信するステップをさらに備えることを特徴とする請求項１乃至１３の何れかに記載の通信制御方法。
【請求項１５】
前記第１のＤ２Ｄリソース及び前記第２のＤ２Ｄリソースは、前記Ｄ２Ｄ通信において送信されるＤ２Ｄ通信信号、近傍端末を発見するＤ２Ｄ発見手順において送信されるＤ２Ｄ発見信号、端末間同期を確立するＤ２Ｄ同期手順において送信されるＤ２Ｄ同期信号、及び、前記Ｄ２Ｄ通信におけるユーザデータの送信に用いられるＤ２Ｄリソースを示す情報を含む制御信号のいずれかの送受信に使用されることを特徴とする請求項１乃至１４の何れかに記載の通信制御方法。
【請求項１６】
直接的な端末間通信であるＤ２Ｄ通信をサポートする移動通信システムにおいて用いられる基地局であって、
前記基地局が管理する第１のセルに隣接する第２のセルにおける第２のＤ２Ｄリソースの設定に関する情報であるＤ２Ｄ設定情報を受信する受信部と、
前記基地局が、前記Ｄ２Ｄ設定情報に基づいて、前記第１のセルにおける第１のＤ２Ｄリソースを設定する制御部と、を備えることを特徴とする基地局。
【発明の詳細な説明】
【技術分野】
【０００１】
本発明は、移動通信システムにおいて用いられる通信制御方法及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。
【０００３】
Ｄ２Ｄ近傍サービス（Ｄ２Ｄ  ＰｒｏＳｅ）は、同期がとられた複数のユーザ端末からなる同期クラスタ内で直接的な端末間通信を可能とするサービスである。Ｄ２Ｄ近傍サービスは、近傍端末を発見するＤ２Ｄ発見手順（Ｄｉｓｃｏｖｅｒｙ）と、直接的な端末間通信であるＤ２Ｄ通信（Ｃｏｍｍｕｎｉｃａｔｉｏｎ）と、を含む。
【先行技術文献】
【非特許文献】
【０００４】
【非特許文献１】３ＧＰＰ技術報告書  「ＴＲ  ３６．８４３  Ｖ１．０．０」  ２０１４年１月１６日
【発明の概要】
【発明が解決しようとする課題】
【０００５】
ここで、一のユーザ端末及び他のユーザ端末が、異なるセルに属するケースを想定する。
【０００６】
一のユーザ端末及び他のユーザ端末が、Ｄ２Ｄ近傍サービスにおいて送信されるＤ２Ｄ信号（例えば、Ｄ２Ｄ発見手順において送信されるＤ２Ｄ発見信号）の送受信を同時にできるとは限らない。このため、上述のケースにおいて、各セルにおけるＤ２Ｄ発見手順に使用される時間・周波数リソースの設定によっては、当該一のユーザ端末と当該他のユーザ端末とが、同一のタイミングで、Ｄ２Ｄ信号の送信動作及び／又は受信動作を行うことがあるため、異なるセルに属するユーザ端末間でＤ２Ｄ信号を受信できない虞がある。
【０００７】
そこで、本発明は、異なるセルに属するユーザ端末間で、Ｄ２Ｄ近傍サービスにおいて送信されるＤ２Ｄ信号を受信可能とすることを目的とする。
【課題を解決するための手段】
【０００８】
一実施形態に係る通信制御方法は、直接的な端末間通信であるＤ２Ｄ通信をサポートする移動通信システムにおいて用いられる。当該通信制御方法は、第１のセルを管理する基地局が、Ｄ２Ｄ設定情報を受信するステップと、前記基地局が、前記Ｄ２Ｄ設定情報に基づいて、前記第１のセルにおける第１のＤ２Ｄリソースを設定するステップと、を備える。前記Ｄ２Ｄ設定情報は、前記第１のセルに隣接する第２のセルにおける第２のＤ２Ｄリソースの設定に関する情報である。
【発明の効果】
【０００９】
本発明によれば、異なるセルに属するユーザ端末間で、Ｄ２Ｄ近傍サービスにおいて送信されるＤ２Ｄ信号を受信可能とすることができる。
【図面の簡単な説明】
【００１０】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、実施形態に係るプロトコルスタック図である。
【図５】図５は、実施形態に係る無線フレームの構成図である。
【図６】図６は、実施形態に係る動作環境を示す図である。
【図７】図７は、実施形態に係る動作パターン１を説明するためのシーケンス図である。
【図８】図８は、実施形態に係るＤ２Ｄリソースの設定を説明するためのフローチャートである。
【図９】図９は、実施形態に係るＤ２Ｄリソースの設定を説明するためのフローチャートである。
【図１０】図１０は、実施形態に係る動作パターン２を説明するためのシーケンス図である。
【図１１】図１１は、実施形態に係る動作パターン３を説明するためのシーケンス図である。
【発明を実施するための形態】
【００１１】
［実施形態の概要］
実施形態に係る通信制御方法は、直接的な端末間通信であるＤ２Ｄ通信をサポートする移動通信システムにおいて用いられる。当該通信制御方法は、第１のセルを管理する基地局が、Ｄ２Ｄ設定情報を受信するステップと、前記基地局が、前記Ｄ２Ｄ設定情報に基づいて、前記第１のセルにおける第１のＤ２Ｄリソースを設定するステップと、を備える。前記Ｄ２Ｄ設定情報は、前記第１のセルに隣接する第２のセルにおける第２のＤ２Ｄリソースの設定に関する情報である。
【００１２】
実施形態において、前記第２のセルは、前記第１のセルの隣接セルである。
【００１３】
実施形態において、前記第１のセル及び前記第２のセルは、異なるＰＬＭＮに属する。
【００１４】
実施形態において、前記設定するステップにおいて、前記基地局は、前記第１のＤ２Ｄリソース及び前記第２のＤ２Ｄリソースが時間方向において重複しないように、前記第１のＤ２Ｄリソースを設定する。
【００１５】
実施形態において、前記第２のＤ２Ｄリソースの設定に関する情報は、前記第２のセルにおける受信候補のＤ２Ｄリソースの設定に関する情報を含む。前記設定するステップにおいて、前記基地局は、前記第１のセルにおける受信候補のＤ２Ｄリソースが、前記第１のセルにおける送信候補のＤ２Ｄリソース及び前記第２のセルにおける受信候補のＤ２Ｄリソースを含むように、前記第１のＤ２Ｄリソースを設定する。
【００１６】
実施形態において、前記設定するステップにおいて、前記基地局は、前記第１のＤ２Ｄリソース及び前記第２のＤ２Ｄリソースが周波数方向において一致する場合に、前記第１のＤ２Ｄリソースを設定する。
【００１７】
実施形態において、前記設定するステップにおいて、前記基地局は、前記第１のＤ２Ｄリソース及び第２のＤ２Ｄリソースが時間方向において一致する場合に、前記第１のＤ２Ｄリソースを設定する。
【００１８】
実施形態において、前記設定するステップにおいて、前記基地局は、前記第１のセルに在圏するユーザ端末が、Ｄ２Ｄ近傍サービスで用いられるＤ２Ｄ信号を同時に送受信可能でない場合、前記第１のＤ２Ｄリソースを設定する。
【００１９】
実施形態において、前記Ｄ２Ｄ設定情報は、前記第２のＤ２Ｄリソースの配置を示すパラメータ情報を含む。
【００２０】
実施形態において、前記Ｄ２Ｄ設定情報は、前記第２のＤ２Ｄリソースの設定に基づいて変更を希望する前記第１のＤ２Ｄリソースの設定項目を示す情報を含む。
【００２１】
実施形態において、前記Ｄ２Ｄ設定情報は、前記第２のＤ２Ｄリソースの設定に基づいて変更を希望する前記第１のＤ２Ｄリソースの配置を示すパラメータ情報を含む。
【００２２】
実施形態に係る通信制御方法は、前記第２のセルを管理する隣接基地局が、前記第２のＤ２Ｄリソースを設定した場合に、前記Ｄ２Ｄ設定情報を前記基地局に送信するステップをさらに備える。
【００２３】
実施形態に係る通信制御方法は、前記第２のセルを管理する隣接基地局が、前記第２のセルに在圏するユーザ端末から、異なるＰＬＭＮ間において前記Ｄ２Ｄ通信を前記ユーザ端末がサポートしていることを示す情報を受信した場合に、前記Ｄ２Ｄ設定情報を前記基地局に送信するステップをさらに備える。
【００２４】
実施形態に係る通信制御方法は、前記第２のセルを管理する隣接基地局が、コアネットワークを介して前記Ｄ２Ｄ設定情報を前記基地局に送信するステップをさらに備える。
【００２５】
実施形態において、前記Ｄ２Ｄリソースは、前記Ｄ２Ｄ通信において送信されるＤ２Ｄ通信信号、近傍端末を発見するＤ２Ｄ発見手順において送信されるＤ２Ｄ発見信号、端末間同期を確立するＤ２Ｄ同期手順において送信されるＤ２Ｄ同期信号、及び、前記Ｄ２Ｄ通信におけるユーザデータの送信に用いられるＤ２Ｄリソースを示す情報を含む制御信号のいずれかの送受信に使用される。
【００２６】
実施形態に係る基地局は、直接的な端末間通信であるＤ２Ｄ通信をサポートする移動通信システムにおいて用いられる。当該基地局は、前記基地局が管理する第１のセルに隣接する第２のセルにおける第２のＤ２Ｄリソースの設定に関する情報であるＤ２Ｄ設定情報を受信する受信部と、前記基地局が、前記Ｄ２Ｄ設定情報に基づいて、前記第１のセルにおける第１のＤ２Ｄリソースを設定する制御部と、を備える。
【００２７】
［実施形態］
以下において、本発明をＬＴＥシステムに適用する場合の実施形態を説明する。
【００２８】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２９】
ＵＥ１００は、ユーザ端末に相当する。ＵＥ１００は、移動型の通信装置であり、接続先のセル（サービングセル）との無線通信を行う。ＵＥ１００の構成については後述する。
【００３０】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３１】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３２】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３３】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３４】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３５】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３６】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３７】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）をプロセッサ２４０’としてもよい。
【００３８】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３９】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４０】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４１】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４３】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するケジューラを含む。
【００４４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４５】
ＰＤＣＰ層は、ヘッダ圧縮・伸張、及び暗号化・復号化を行う。
【００４６】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４７】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４８】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４９】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５０】
（Ｄ２Ｄ近傍サービス）
以下において、Ｄ２Ｄ近傍サービスについて説明する。実施形態に係るＬＴＥシステムは、Ｄ２Ｄ近傍サービスをサポートする。Ｄ２Ｄ近傍サービスについては非特許文献１に記載されているが、ここではその概要を説明する。
【００５１】
Ｄ２Ｄ近傍サービス（Ｄ２Ｄ  ＰｒｏＳｅ）は、同期がとられた複数のＵＥ１００からなる同期クラスタ内で直接的なＵＥ間通信を可能とするサービスである。Ｄ２Ｄ近傍サービスは、近傍ＵＥを発見するＤ２Ｄ発見手順（Ｄｉｓｃｏｖｅｒｙ）と、直接的なＵＥ間通信であるＤ２Ｄ通信（Ｃｏｍｍｕｎｉｃａｔｉｏｎ）と、を含む。Ｄ２Ｄ通信は、Ｄｉｒｅｃｔ  ｃｏｍｍｕｎｉｃａｔｉｏｎとも称される。
【００５２】
同期クラスタを形成する全ＵＥ１００がセルカバレッジ内に位置するシナリオを「カバレッジ内（Ｉｎ  ｃｏｖｅｒａｇｅ）」という。同期クラスタを形成する全ＵＥ１００がセルカバレッジ外に位置するシナリオを「カバレッジ外（Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的カバレッジ（Ｐａｒｔｉａｌ  ｃｏｖｅｒａｇｅ）」という。
【００５３】
カバレッジ内では、例えばｅＮＢ２００がＤ２Ｄ同期元となる。Ｄ２Ｄ非同期元は、Ｄ２Ｄ同期信号を送信せずにＤ２Ｄ同期元に同期する。Ｄ２Ｄ同期元であるｅＮＢ２００は、Ｄ２Ｄ近傍サービスに使用可能な無線リソースを示すＤ２Ｄリソース情報を、ブロードキャスト信号により送信する。Ｄ２Ｄリソース情報は、例えば、Ｄ２Ｄ発見手順に使用可能な無線リソースを示す情報（Ｄｉｓｃｏｖｅｒｙリソース情報）及びＤ２Ｄ通信に使用可能な無線リソースを示す情報（Ｃｏｍｍｕｎｉｃａｔｉｏｎリソース情報）を含む。Ｄ２Ｄ非同期元であるＵＥ１００は、ｅＮＢ２００から受信するＤ２Ｄリソース情報に基づいて、Ｄ２Ｄ発見手順及びＤ２Ｄ通信を行う。
【００５４】
カバレッジ外又は部分的カバレッジでは、例えばＵＥ１００がＤ２Ｄ同期元となる。カバレッジ外では、Ｄ２Ｄ同期元であるＵＥ１００は、Ｄ２Ｄ近傍サービスに使用可能な無線リソースを示すＤ２Ｄリソース情報を、例えばＤ２Ｄ同期信号により送信する。Ｄ２Ｄ同期信号は、端末間同期を確立するＤ２Ｄ同期手順において送信される信号である。Ｄ２Ｄ同期信号は、Ｄ２ＤＳＳ及び物理Ｄ２Ｄ同期チャネル（ＰＤ２ＤＳＣＨ）を含む。Ｄ２ＤＳＳは、時間・周波数の同期基準を提供する信号である。ＰＤ２ＤＳＣＨは、Ｄ２ＤＳＳよりも多くの情報を運搬する物理チャネルである。ＰＤ２ＤＳＣＨは、上述したＤ２Ｄリソース情報（Ｄｉｓｃｏｖｅｒｙリソース情報、Ｃｏｍｍｕｎｉｃａｔｉｏｎリソース情報）を運搬する。或いは、Ｄ２ＤＳＳにＤ２Ｄリソース情報を関連付けることにより、ＰＤ２ＤＳＣＨを不要としてもよい。
【００５５】
Ｄ２Ｄ発見手順は、主にＤ２Ｄ通信をユニキャストで行う場合に利用される。一のＵＥ１００は、他のＵＥ１００とのＤ２Ｄ通信を開始しようとする場合に、Ｄ２Ｄ発見手順に使用可能な無線リソースのうち何れかの無線リソースを用いて、Ｄｉｓｃｏｖｅｒｙ信号（Ｄ２Ｄ発見信号）を送信する。当該他のＵＥ１００は、当該一のＵＥ１００とのＤ２Ｄ通信を開始しようとする場合に、Ｄ２Ｄ発見手順に使用可能な無線リソース内でＤｉｓｃｏｖｅｒｙ信号をスキャンし、Ｄｉｓｃｏｖｅｒｙ信号を受信する。Ｄｉｓｃｏｖｅｒｙ信号は、当該一のＵＥ１００がＤ２Ｄ通信に使用する無線リソースを示す情報を含んでもよい。
【００５６】
（実施形態に係る動作）
以下において、実施形態に係る動作について説明する。図６は、実施形態に係る動作環境を示す図である。
【００５７】
図６に示すように、ｅＮＢ２００＃１は、ネットワークオペレータ＃１のＬＴＥネットワークであるＰＬＭＮ＃１に含まれている。ＰＬＭＮ＃１には、周波数帯＃１（Ｆｒｅｑ．＃１）が割り当てられている。ｅＮＢ２００＃１は、周波数帯＃１のセル＃１を管理する。
【００５８】
ＵＥ１００＃１は、セル＃１に在圏しており、ＰＬＭＮ＃１に位置登録を行っている。すなわち、ＵＥ１００＃１は、ＰＬＭＮ＃１に属する。例えば、ＵＥ１００＃１は、セル＃１においてＲＲＣアイドル状態である。或いは、ＵＥ１００＃１は、セル＃１においてＲＲＣコネクティッド状態であってもよい。
【００５９】
ｅＮＢ２００＃２は、ネットワークオペレータ＃２のＬＴＥネットワークであるＰＬＭＮ＃２に含まれている。ＰＬＭＮ＃２には、周波数帯＃２（Ｆｒｅｑ．＃２）が割り当てられている。ｅＮＢ２００＃２は、周波数帯＃２のセル＃２を管理する。セル＃２は、セル＃１と異なるセルである。本実施形態において、セル♯２は、セル♯１の近隣に位置する。セル♯２は、セル♯１に隣接していてもよいし、セル♯１と重なっていてもよいし、セル♯１と離れていてもよい。ｅＮＢ２００＃２は、ｅＮＢ２００＃１と同期がとられている。或いは、ｅＮＢ２００＃２は、ｅＮＢ２００＃１と非同期であってもよい。
【００６０】
ＵＥ１００＃２は、セル＃２に在圏しており、ＰＬＭＮ＃２に位置登録を行っている。すなわち、ＵＥ１００＃２は、ＰＬＭＮ＃２に属する。ＵＥ１００＃２は、セル＃２においてＲＲＣアイドル状態である。或いは、ＵＥ１００＃２は、セル＃２においてＲＲＣコネクティッド状態であってもよい。
【００６１】
このような動作環境において、上述したＤ２Ｄ近傍サービスをＵＥ１００＃１及びＵＥ１００＃２に適用するケースを想定する。
【００６２】
このようなケースでは、ＵＥ１００＃１は、ｅＮＢ２００＃１からＤ２Ｄリソース情報（Ｄｉｓｃｏｖｅｒｙリソース情報、Ｃｏｍｍｕｎｉｃａｔｉｏｎリソース情報）を受信する。ｅＮＢ２００＃１が送信するＤｉｓｃｏｖｅｒｙリソース情報及びＣｏｍｍｕｎｉｃａｔｉｏｎリソース情報のそれぞれは、周波数帯＃１に含まれる無線リソースを示している。
【００６３】
ＵＥ１００＃２は、ｅＮＢ２００＃２からＤ２Ｄリソース情報（Ｄｉｓｃｏｖｅｒｙリソース情報、Ｃｏｍｍｕｎｉｃａｔｉｏｎリソース情報）を受信する。ｅＮＢ２００＃２が送信するＤｉｓｃｏｖｅｒｙリソース情報及びＣｏｍｍｕｎｉｃａｔｉｏｎリソース情報のそれぞれは、周波数帯＃２に含まれる無線リソースを示している。
【００６４】
ここで、セル♯１（ｅＮＢ２００♯１）におけるＤ２Ｄリソースの設定と、セル♯２（ｅＮＢ２００♯２）におけるＤ２Ｄリソースの設定とが一致したケースを想定する。この場合、ＵＥ１００♯１とＵＥ１００♯２とが、同一のタイミング（具体的には、同じシンボル／同じサブフレーム／同じフレーム／同じ時間間隔）で、Ｄ２Ｄ近傍サービスで用いられるＤ２Ｄ信号の送信動作（或いは、受信動作）を行うことがあるため、異なるＰＬＭＮに属するユーザ端末間でＤ２Ｄ信号を受信できない虞がある。
【００６５】
そこで、実施形態では、後述の動作パターン１〜３に示すように、ｅＮＢ２００＃１及びｅＮＢ２００♯２は、少なくとも一方のＤ２Ｄリソースの設定に関するＤ２Ｄ設定情報を通知し、異なるＰＬＭＮにおけるＤ２Ｄリソースの設定を共有する。また、少なくとも一方のｅＮＢ２００は、他のｅＮＢ２００からのＤ２Ｄ設定情報に基づいて、自セルのＵＥが異なるＰＬＭＮ間のＵＥとのＤ２Ｄ近傍サービスを利用できるように、他のｅＮＢ２００と協調してＤ２Ｄリソースの設定を行う。
【００６６】
Ｄ２Ｄ設定情報は、Ｄ２Ｄリソースの設定に関する情報であり、具体的には、セルにおいて使用可能な／使用するＤ２Ｄリソースを示すリソース情報を含む。リソース情報は、Ｄ２Ｄリソースの配置を示すパラメータ情報である。
【００６７】
リソース情報は、Ｄ２Ｄリソースの周波数（周波数帯）に関する周波数リソース情報を含む。周波数リソース情報は、Ｄ２Ｄリソースの周波数帯の中心周波数を示す情報と、Ｄ２Ｄリソースの周波数帯の帯域幅を示す情報と、を含む。周波数リソース情報は、ｅＮＢ２００（セル）において使用可能なＤ２Ｄリソースのオペレーションバンドを示す情報であってもよい。また、周波数リソース情報は、オペレーションバンド内のリソースブロック番号を含んでもよい。
【００６８】
また、リソース情報は、Ｄ２Ｄリソースの時間に関する時間リソース情報を含む。時間リソース情報は、システムフレーム番号、サブフレーム番号、開始／終了サブフレーム、送信期間、のうち少なくとも１つである。
【００６９】
Ｄ２Ｄ設定情報は、Ｄ２Ｄリソースの種類（送信候補のリソース／受信候補のリソース）を示す情報を含んでもよい。なお、送信候補のリソースは、送信用のリソースとして確保されている送信プールリソース（Ｔｘ  Ｐｏｏｌ）であってもよいし、送信用に割り当てられたリソースであってもよい。受信候補のリソースは、受信用のリソースとして確保されている受信プールリソース（Ｒｘ  Ｐｏｏｌ）であってもよいし、受信用に割り当てられたリソースであってもよい。
【００７０】
Ｄ２Ｄ設定情報は、ＰＬＭＮ識別子を含んでもよい。ｅＮＢ２００は、Ｄ２Ｄ設定情報が異なるＰＬＭＮにおけるセルにおけるＤ２Ｄリソースの設定に関する情報であることが分かる。
【００７１】
Ｄ２Ｄ設定情報は、Ｄ２Ｄ信号に適用される変調方式・符号化率（ＭＣＳ）を示す情報を含んでもよい。Ｄ２Ｄ信号に適用されるＭＣＳが可変である場合に必要な情報である。例えば、ｅＮＢ２００♯１は、ＵＥ１００♯１に対して、ＵＥ１００♯２からのＤ２Ｄ信号に適用されているＭＣＳを通知することができる。
【００７２】
Ｄ２Ｄ設定情報は、Ｄ２Ｄ信号の再送信回数を示す情報を含んでもよい。ｅＮＢ２００♯１は、ＵＥ１００♯１に対して、ＵＥ１００♯２からのＤ２Ｄ信号の再送信回数を通知することができる。
【００７３】
Ｄ２Ｄ設定情報は、Ｄ２Ｄ信号に適用される暗号化設定（ｅｎｃｒｙｐｔｉｏｎ  ｋｅｙ、ｉｎｔｅｇｒｉｔｙ  ａｌｇｏｒｉｓｍ）を示す情報を含んでもよい。Ｄ２Ｄ信号が暗号化される場合に必要な情報である。ｅＮＢ２００♯１は、ＵＥ１００♯１に対して、ＵＥ１００♯２からのＤ２Ｄ信号に適用されている暗号化設定を通知することができる。
【００７４】
Ｄ２Ｄ設定情報は、Ｄ２Ｄ信号に適用されるメッセージフォーマットの識別子を含んでもよい。Ｄ２Ｄ通信に可変ＣＰ長、可変メッセージ／制御ビット数等が適用される場合に、Ｄ２Ｄ信号を解釈するために必要な情報である。ｅＮＢ２００♯１は、ＵＥ１００♯１に対して、ＵＥ１００♯２からのＤ２Ｄ信号に適用されているメッセージフォーマットの識別子を通知することができる。
【００７５】
Ｄ２Ｄ設定情報は、Ｄ２Ｄリソースがセルラ通信におけるリソースと共用であるか否かを示す情報を含んでもよい。Ｄ２Ｄリソースがセルラ通信におけるリソースと共用である場合、セルラ通信への干渉／セルラ通信からの干渉が発生するため、ｅＮＢ２００が、送信電力制御を行うために当該情報を利用できる。
【００７６】
（Ａ）動作パターン１
動作パターン１について、図７から図９を用いて説明する。図７は、実施形態に係る動作パターン１を説明するためのシーケンス図である。図８及び図９は、実施形態に係るＤ２Ｄリソースの設定を説明するためのフローチャートである。
【００７７】
図７に示すように、ステップＳ１０１において、ｅＮＢ２００♯１は、ｅＮＢ２００♯２に対して、コアネットワーク（ＮＷ）を介して、Ｄ２Ｄ設定情報（Ｄ２Ｄ  ｃｏｎｆｉｇｕｒａｔｉｏｎ）を送信（転送）する。具体的には、ｅＮＢ２００♯１は、ＰＬＭＮ♯１に属するＮＷ♯１及びＰＬＭＮ♯２に属するＮＷ♯２を介して、トンネリングによってＤ２Ｄ設定情報を送信する。動作パターン１では、Ｄ２Ｄ設定情報は、セル♯１におけるＤ２Ｄリソースの設定に関する情報である。
【００７８】
ｅＮＢ２００♯１がＤ２Ｄ設定情報をｅＮＢ２００♯２に送信するトリガは、例えば、以下の場合である。
【００７９】
・ｅＮＢ２００♯１が、設置され、起動を開始した場合
・ｅＮＢ２００♯１が、セル♯１の運用を開始した場合
・ｅＮＢ２００♯１が、Ｄ２Ｄリソースの設定（設定変更）を行った場合
・ｅＮＢ２００♯１が、異なるＰＬＭＮ間におけるＤ２Ｄ近傍サービスの利用をサポートすることを示すＵＥ能力情報をＵＥ１００♯１及び／又はｅＮＢ２００♯２から受信した場合
・ｅＮＢ２００♯１が、セル♯１に在圏するＵＥ１００♯１が異なるＰＬＭＮ（ＰＬＭＮ♯２）に属するＵＥ１００♯２とＤ２Ｄ通信を行う場合（例えば、ｅＮＢ２００♯１がＵＥ１００♯１のＤ２Ｄ通信を許可する場合、或いは、ｅＮＢ２００♯１がＵＥ１００♯１からのＤ２Ｄ通信の要求を受信した場合）
【００８０】
なお、上述の能力情報は、Ｄ２Ｄ近傍サービスの利用可能なＰＬＭＮ（及び／又は周波数帯）を示す情報を含んでもよい。
【００８１】
ステップＳ１０２において、ｅＮＢ２００♯１からのＤ２Ｄ設定情報を受信したｅＮＢ２００♯２は、Ｄ２Ｄ設定情報に基づいて、セル♯２におけるＤ２Ｄリソースを設定（決定）する。
【００８２】
次に、図８及び図９を用いて、Ｄ２Ｄリソースの設定の一例について説明する。
【００８３】
図８に示すように、ステップＳ２０１において、ｅＮＢ２００♯２は、他のセル（セル♯１）におけるＤ２Ｄ設定情報（Ｄ２Ｄ  ｉｎｆｏｒｍａｔｉｏｎ）を受信した場合、ステップＳ２０２の処理を実行する。或いは、ｅＮＢ２００♯２は、他のセルのＤ２Ｄ設定情報を利用できる場合、ステップＳ２０２の処理を実行する。
【００８４】
ステップＳ２０２において、ｅＮＢ２００♯２は、セル♯２におけるＤ２Ｄリソースの設定と、受信した（或いは、利用可能な）Ｄ２Ｄ設定情報に含まれる情報とを比較する。
【００８５】
ステップＳ２０３において、ｅＮＢ２００♯２は、セル♯１におけるＤ２Ｄリソースとセル♯２におけるＤ２Ｄリソースとが周波数方向において一致する場合、ステップＳ２０４の処理を実行し、そうでない場合、処理を終了する。例えば、ｅＮＢ２００♯２は、セル♯１とセル♯２とにおけるＤ２Ｄリソースの周波数帯（ｂａｎｄ）が同じである場合、ステップＳ２０４の処理を実行する。
【００８６】
なお、Ｄ２Ｄ設定情報がセル♯１において使用可能な周波数に関する周波数リソース情報を含まない場合、ｅＮＢ２００♯２は、ステップＳ２０４の処理を実行する。
【００８７】
ステップＳ２０４において、ｅＮＢ２００♯２は、セル♯２に在圏するＵＥ１００♯２が、Ｄ２Ｄ信号を同時に送受信できない場合、ステップＳ２０５の処理を実行し、そうでない場合、処理を終了する。
【００８８】
ｅＮＢ２００♯２は、セル♯２に複数のＵＥ１００が在圏する場合において、複数のＵ１００のうち１以上のＵＥ１００がＤ２Ｄ信号を同時に送受信できない場合、ステップＳ２０５の処理を実行してもよい。或いは、ｅＮＢ２００♯２は、Ｄ２Ｄ信号を同時に送受信できないＵＥ１００の数又は割合が所定値以上の場合、ステップＳ２０５の処理を実行してもよい。
【００８９】
なお、ｅＮＢ２００♯２は、Ｄ２Ｄ信号を同時に送受信できないＵＥ１００がセル♯２に在圏しているかどうかを、Ｄ２Ｄ信号を同時に送受信できることをサポートすることを示すＵＥ能力情報に基づいて判断できる。ｅＮＢ２００♯２は、当該能力情報をＵＥ１００及び／又は隣接ｅＮＢ２００（ソースｅＮＢ２００）から受信することができる。
【００９０】
ステップＳ２０５において、ｅＮＢ２００♯２は、セル♯１におけるＤ２Ｄリソースとセル♯２とにおけるＤ２Ｄリソースとが時間方向において一致する場合、ステップＳ２０６の処理を実行し、そうでない場合、処理を終了する。なお、セル♯１におけるＤ２Ｄリソースとセル♯２とにおけるＤ２Ｄリソースとが時間方向において部分的に一致する場合、ｅＮＢ２００♯２は、設定に基づいて、ステップＳ２０６の処理を実行する、或いは、処理を終了する。ｅＮＢ２００♯２は、Ｄ２Ｄリソースの一致率に基づいて、ステップＳ２０６の処理を行うか判定してもよい。
【００９１】
なお、Ｄ２Ｄ設定情報がセル♯１において使用可能な時間に関する時間リソース情報を含まない場合、ｅＮＢ２００♯２は、ステップＳ２０６の処理を実行する。
【００９２】
ステップＳ２０６において、ｅＮＢ２００♯２は、Ｄ２Ｄリソースについて、他のｅＮＢ（ｅＮＢ２００♯１）との協調を行う。当該協調について、図９を用いて説明する。
【００９３】
図９に示すように、ステップＳ３０１において、ｅＮＢ２００♯２は、セル♯２におけるＤ２Ｄリソースの設定を変更できるか否かを判定する。ｅＮＢ２００♯２は、設定変更できない場合、ステップＳ３０２の処理を実行し、そうでない場合、ステップＳ３０３の処理を実行する。
【００９４】
例えば、ｅＮＢ２００♯２は、Ｄ２Ｄリソースを設定した後、設定後のＤ２Ｄリソース情報を他の装置（ＵＥ及び／又はｅＮＢ）に通知する前である場合、Ｄ２Ｄリソースの設定を変更できると判定する。或いは、セル♯２に隣接する複数のセルのそれぞれを管理するｅＮＢ（ｅＮＢ２００♯１を含む）の間でＤ２Ｄリソースについての協調が終了し、ｅＮＢ２００♯２が、セル♯２におけるＤ２Ｄリソースについての協調を行っていない場合、ｅＮＢ２００♯２は、Ｄ２Ｄリソースの設定を変更できると判定する。
【００９５】
ステップＳ３０２において、ｅＮＢ２００♯２は、ｅＮＢ２００♯１に対して、Ｄ２Ｄ設定情報を含むＤ２Ｄ協調要求（Ｄ２Ｄ  ｃｏｎｆｉｇｕｒａｔｉｏｎ  ｃｏｏｒｄｉｎａｔｉｏｎ  ｒｅｑｕｅｓｔ／Ｃｏｏｒｄｉｎａｔｉｏｎ  ｒｅｑｕｅｓｔ）を送信する。当該要求については、動作シーケンス２及び３において、詳細に説明する。
【００９６】
ステップＳ３０３において、ｅＮＢ２００♯２は、Ｄ２Ｄ設定情報に基づいて、セル♯２におけるＤ２Ｄリソースを設定する。
【００９７】
具体的には、ｅＮＢ２００♯２は、セル♯１におけるＤ２Ｄリソース及びセル♯２におけるＤ２Ｄリソースが時間方向において重複しないように、セル♯２におけるＤ２Ｄリソースを設定する。ｅＮＢ２００♯２は、セル♯１におけるＤ２Ｄリソース及びセル♯２におけるＤ２Ｄリソースが周波数方向において重複しないように、セル♯２におけるＤ２Ｄリソースを設定してもよい。
【００９８】
ステップＳ３０４において、ｅＮＢ２００♯２は、設定後のセル♯２におけるＤ２Ｄリソースの設定に関する情報（Ｄ２Ｄ設定情報）を、セル♯１を管理するｅＮＢ２００♯１に通知する。なお、ｅＮＢ２００♯２は、セル♯２に隣接する複数のセルのそれぞれを管理するｅＮＢからなる複数のｅＮＢ２００に対して、Ｄ２Ｄ設定情報を通知してもよい。
【００９９】
（Ｂ）動作パターン２
次に、動作パターン２について、図１０を用いて説明する。図１０は、実施形態に係る動作パターン２を説明するためのシーケンス図である。
【０１００】
動作パターン１では、ｅＮＢ２００♯１が、自セルにおけるＤ２Ｄリソース設定を、ｅＮＢ２００♯２に知らせるために、Ｄ２Ｄ設定情報を送信していた。一方、動作パターン２では、ｅＮＢ２００♯２が、ｅＮＢ２００♯１に対して、他セルにおけるＤ２Ｄリソースの設定の変更を要求するために、Ｄ２Ｄ設定情報を送信する。
【０１０１】
図１０に示すように、Ｓ４０１において、ｅＮＢ２００♯２は、他のｅＮＢ２００（具体的には、ｅＮＢ２００♯１）とＤ２Ｄリソースの設定を共有することを決定する。ｅＮＢ２００♯２は、例えば、上述の動作シーケンス１においてＤ２Ｄ設定情報を送信するトリガと同様の場合に、Ｄ２Ｄリソースの設定を共有することを決定する。
【０１０２】
ステップＳ４０２において、ｅＮＢ２００♯２は、ｅＮＢ２００♯１に対して、Ｄ２Ｄリソースの設定を要求するＤ２Ｄ協調要求（Ｄ２Ｄ  ｃｏｎｆｉｇｕｒａｔｉｏｎ  ｃｏｏｒｄｉｎａｔｉｏn  ｒｅｑｕｅｓｔ）を送信する。ｅＮＢ２００♯２は、ステップＳ１０１と同様にして、Ｄ２Ｄ協調要求を送信する。
【０１０３】
Ｄ２Ｄ協調要求は、Ｄ２Ｄ設定情報を含む。Ｄ２Ｄ協調要求に含まれるＤ２Ｄ設定情報は、セル♯２（自セル）におけるＤ２Ｄリソースの配置を示すパラメータ情報、セル♯２におけるＤ２Ｄリソースの設定に基づいて変更を希望するセル♯１におけるＤ２Ｄリソースの設定項目を示す情報、及び、セル♯２におけるＤ２Ｄリソースの設定に基づいて変更を希望するセル♯１におけるＤ２Ｄリソースの配置を示すパラメータ情報の少なくともいずかを含む。なお、設定項目は、周波数、時間、Ｄ２Ｄリソースの種類などである。
【０１０４】
ステップＳ４０３において、ｅＮＢ２００♯１は、動作シーケンス１で説明したように、Ｄ２Ｄリソースについて、ｅＮＢ２００♯２と協調を行う。ｅＮＢ２００♯１は、Ｄ２Ｄ協調要求に含まれるＤ２Ｄ設定情報に基づいて、セル♯１におけるＤ２Ｄリソースの設定を行う。
【０１０５】
ステップＳ４０４において、ｅＮＢ２００♯２は、Ｄ２Ｄ協調要求に対する応答であるＤ２Ｄ協調応答（Ｄ２Ｄ  ｃｏｎｆｉｇｕｒａｔｉｏｎ  ｃｏｏｒｄｉｎａｔｉｏｎ  ｒｅｓｐｏｎｓｅ）を、ステップＳ１０１と同様にして、送信する。
【０１０６】
Ｄ２Ｄ協調応答は、セル♯１におけるＤ２Ｄリソースの設定を示す情報を含む。或いは、ｅＮＢ２００♯２がセル♯１におけるＤ２Ｄリソースの設定を変更しなかった場合、その旨を示す情報（又は、Ｄ２Ｄ協調要求に対する拒否を示す情報）を含む。
【０１０７】
（Ｃ）動作パターン３
次に、動作パターン３について、図１１を用いて説明する。図１１は、実施形態に係る動作パターン３を説明するためのシーケンス図である。
【０１０８】
動作パターン１では、ｅＮＢ２００（ｅＮＢ２００♯１及びｅＮＢ２００♯２）どうしが、自律的にＤ２Ｄリソースの設定の協調を行っていた。動作パターン３では、異なるＰＬＭＮに属するコアネットワーク（ネットワーク装置；例えば、ＭＭＥ３００）どうしが、Ｄ２Ｄリソースの設定を制御する。
【０１０９】
図１１に示すように、ステップＳ５０１において、ｅＮＢ２００♯１は、起動を開始する。
【０１１０】
ステップＳ５０２において、ｅＮＢ２００♯１は、異なるＰＬＭＮ間におけるＤ２Ｄ近傍サービスの設定が利用可能であると判定する。
【０１１１】
ステップＳ５０３において、ｅＮＢ２００♯１は、ｅＮＢ２００♯１（のセル♯１）が属するＰＬＭＮ♯１と異なるＰＬＭＮであるＰＬＭＮ♯２に対する第１のＤ２Ｄ協調要求（Ｃｏｏｒｄｉｎａｔｉｏｎ  ｒｅｑｕｅｓｔ）をＮＷ♯１に送信する。第１のＤ２Ｄ協調要求は、Ｄ２Ｄ設定情報を含む。
【０１１２】
ステップＳ５０４において、ＮＷ♯１は、ｅＮＢ２００♯２からの要求を承認するか否かを判定する。具体的には、ＮＷ♯１は、第１のＤ２Ｄ協調要求に含まれるＤ２Ｄ設定情報に基づいて、ＰＬＭＮ♯１内において承認可能なＤ２Ｄリソースの設定であるか否かを判定する。
【０１１３】
なお、ＮＷ♯１は、ｅＮＢ２００♯１からの要求を承認しない場合、ｅＮＢ２００♯１からの要求を拒否する旨の通知をｅＮＢ２００♯１に送信する。
【０１１４】
ステップＳ５０５において、ＮＷ♯１は、他のＰＬＭＮであるＰＬＭＮ♯２に属するＮＷ♯２に対して、第２のＤ２Ｄ協調要求を送信する。
【０１１５】
ステップＳ５０６において、ＮＷ♯２は、ＮＷ♯１からの要求を承認するか否かを判定する。具体的には、ＮＷ♯２は、第２のＤ２Ｄ協調要求に含まれるＤ２Ｄ設定情報に基づいて、ＰＬＭＮ♯２内において承認可能なＤ２Ｄリソースの設定であるか否かを判定する。
【０１１６】
ステップＳ５０７において、ＮＷ♯２は、ｅＮＢ２００♯２に対して、パラメータ情報の問い合わせ（Ｐａｒａｍｅｔｅｒ  ｉｎｑｕｉｒｙ）を行う。当該問い合わせは、セル♯１及び／又はセル♯２におけるＤ２Ｄリソースの配置を示すパラメータ情報を含む。
【０１１７】
ステップＳ５０８において、ｅＮＢ２００♯２は、パラメータ情報に対して応答（Ｐａｒａｍｅｔｅｒ  ｒｅｓｐｏｎｓｅ）を行う。当該応答は、変更を希望するセル♯１におけるＤ２Ｄリソースの配置を示すパラメータ情報を含んでもよい。
【０１１８】
ステップＳ５０９において、ＮＷ♯２は、第２のＤ２Ｄ協調要求に対する応答をＮＷ♯１に送信する。ＮＷ♯１は、ＮＷ♯１からの要求を承認しない場合、ＮＷ♯１からの要求を拒否する旨の通知をＮＷ♯１に送信する。
【０１１９】
ステップＳ５１０において、ＮＷ♯１は、第２のＤ２Ｄ協調要求が承認されたか否かを確認する。
【０１２０】
ステップＳ５１１において、ＮＷ♯１は、第１のＤ２Ｄ協調要求に対する応答をｅＮＢ２００♯１に送信する。
【０１２１】
ステップＳ５１２において、ｅＮＢ２００♯２は、第１のＤ２Ｄ協調要求に対する応答に基づいて、異なるＰＬＭＮ間におけるＤ２Ｄ近傍サービスに使用可能なＤ２Ｄリソースの設定を行う。
【０１２２】
なお、ステップＳ５０７、Ｓ５０８、Ｓ５１０の動作は、行われなくてもよい。
【０１２３】
以上の通り、上述の動作パターン１〜３で示したように、ｅＮＢ２００♯１（及び／又はｅＮＢ２００♯２）は、異なるＰＬＭＮにおけるＤ２Ｄリソースの設定を共有し、自セルのＵＥが異なるＰＬＭＮ間のＵＥとのＤ２Ｄ近傍サービスを利用できるように、他のｅＮＢ２００と協調してＤ２Ｄリソースの設定を行う。従って、実施形態によれば、異なるＰＬＭＮに属するＵＥ１００＃１及びＵＥ１００＃２間で、Ｄ２Ｄ近傍サービスにおいて送信されるＤ２Ｄ信号が受信可能となる。
【０１２４】
なお、ｅＮＢ２００♯１は、ｅＮＢ２００♯２からのＤ２Ｄ設定情報に基づいて、セル♯２におけるＤ２Ｄリソース情報をセル♯１のＵＥ１００♯１に通知してもよい。これにより、ＵＥ１００♯１は、異なるＰＬＭＮに属するＵＥからのＤ２Ｄ信号を受信するために、全周波数帯域を探索（サーチ）しなくても、セル♯２におけるＤ２Ｄリソース情報に基づいて、ＵＥ１００♯２からのＤ２Ｄ信号を効率よく受信できる。ｅＮＢ２００♯２は、同様に、セル♯１におけるＤ２Ｄリソース情報をセル♯２のＵＥ１００♯２に通知してもよい。
【０１２５】
［その他の実施形態］
上述した実施形態では、Ｄ２Ｄ近傍サービスにおいて使用可能な／使用する周波数リソースが時間によって変化（ホッピング）するケースについて特に触れなかった。しかしながら、Ｄ２Ｄ近傍サービスにおいて使用可能な／使用する周波数リソースが時間によって変化（ホッピング）してもよい。この場合、上述したリソース情報は、かかるホッピングのパターン（ホッピングパターン）を示すように構成されてもよい。
【０１２６】
上述した実施形態では、ＵＥ１００＃１及びＵＥ１００＃２が、異なるＰＬＭＮに属している一例を説明した。しかしながら、ＵＥ１００＃１及びＵＥ１００＃２は、異なる周波数帯をＤ２Ｄ近傍サービスに利用する前提下で、同じＰＬＭＮに属していてもよい。従って、同じＰＬＭＮに属するｅＮＢ２００間において、本発明が適用可能である。
【０１２７】
上述した実施形態に係る動作パターン１及び２において、ｅＮＢ２００♯１及びｅＮＢ２００♯２とは、トンネリングによってＤ２Ｄ設定情報を送信しなくてもよい。また、ｅＮＢ２００♯１（及び／ｅＮＢ２００♯２）は、Ｘ１／Ｓ１インターフェイスを介してＤ２Ｄ設定情報を送信してもよい。勿論、ｅＮＢ２００♯１は、Ｓ１インターフェイスを介して、Ｄ２Ｄ設定情報を送信してもよい。
【０１２８】
上述した実施形態では、ｅＮＢ２００は、自セル（例えば、セル♯１）におけるＤ２Ｄリソース及び他セル（例えば、セル♯２）におけるＤ２Ｄリソースが時間方向において重複しないように、自セルにおけるＤ２Ｄリソースを設定したが、これに限られない。例えば、ｅＮＢ２００は、自セルにおける送信候補のＤ２Ｄリソースと他セルにおける受信候補のＤ２Ｄリソースとが時間及び周波数方向において重複するように（例えば、自セルにおける送信候補のＤ２Ｄリソースと他セルにおける受信候補のＤ２Ｄリソースとが一致するように）、自セルにおけるＤ２Ｄリソースを設定してもよい。また、ｅＮＢ２００は、同様に、自セルにおける受信候補のＤ２Ｄリソースと他セルにおける送信候補のＤ２Ｄリソースとが時間及び周波数方向において重複するように、自セルにおけるＤ２Ｄリソースを設定してもよい。
【０１２９】
また、ｅＮＢ２００は、他セルにおける受信候補のＤ２Ｄリソースの設定に関する情報を含むＤ２Ｄ設定情報に基づいて、自セルにおける受信候補のＤ２Ｄリソースが、自セルにおける送信候補のＤ２Ｄリソース及び他セルにおける受信候補のＤ２Ｄリソースを含む（すなわち、収容する）ように、自セルにおける受信候補のＤ２Ｄリソースを設定してもよい。或いは、ｅＮＢ２００は、自セルにおける受信候補のＤ２Ｄリソースが、自セルにおける送信候補のＤ２Ｄリソース及び他セルにおける受信候補のＤ２Ｄリソースを合計したリソースと一致するように、自セルにおける受信候補のＤ２Ｄリソースを設定してもよい。
【０１３０】
また、ｅＮＢ２００は、自セルにおける受信候補のＤ２Ｄリソースが、自セルにおける送信候補のＤ２Ｄリソース及び複数の他セルのそれぞれの受信候補のＤ２Ｄリソースを含むように（すなわち、収容するように）、自セルにおける受信候補のＤ２Ｄリソースを設定してもよい。或いは、ｅＮＢ２００は、自セルにおける受信候補のＤ２Ｄリソースが、自セルにおける送信候補のＤ２Ｄリソース及び複数の他セルのそれぞれの受信候補のＤ２Ｄリソースを合計したリソースと一致するように、自セルにおける受信候補のＤ２Ｄリソースを設定してもよい。
【０１３１】
これにより、ｅＮＢ２００のセルに在圏するＵＥ１００は、当該セルにおける受信候補のＤ２Ｄリソースに基づいて、Ｄ２Ｄ信号のスキャンを行うことにより、異なるＰＬＭＮに属する他のＵＥ１００からのＤ２Ｄ信号及び／又は他のセルに在圏する他のＵＥ１００からのＤ２Ｄ信号を受信できる。
【０１３２】
また、他のｅＮＢ２００が、上記ｅＮＢ２００と同様に、自セルのＤ２Ｄリソースの設定を行うことによって、ｅＮＢ２００のセルに在圏するＵＥ１００が送信したＤ２Ｄ信号を他のｅＮＢ２００のセルに在圏する他のＵＥ１００が受信できる。
【０１３３】
上述した実施形態では、Ｄ２Ｄリソース情報が、Ｄｉｓｃｏｖｅｒｙリソース情報及び／又はＣｏｍｍｕｎｉｃａｔｉｏｎリソース情報として、説明したが、Ｄ２Ｄリソース情報は、Ｄ２Ｄ同期手順に使用可能な無線リソースであってもよい。すなわち、Ｄ２Ｄリソース情報は、Ｄ２Ｄ同期信号におけるＤ２Ｄ同期信号の送受信に使用される無線リソースを示す情報であってもよい。或いは、Ｄ２Ｄリソース情報は、Ｄ２Ｄ通信におけるユーザデータの送信に用いられるＤ２Ｄリソース（の位置／配置）を示す情報（ＳＡ：Ｓｃｈｅｄｕｌｉｎｇ  Ａｓｓｉｇｎｍｅｎｔ）を含む制御信号の送受信に使用可能な無線リソースであってもよい。
【０１３４】
上述した実施形態では、移動通信システムの一例としてＬＴＥシステムを説明したが、ＬＴＥシステムに限定されるものではなく、ＬＴＥシステム以外のシステムに本発明を適用してもよい。
【符号の説明】
【０１３５】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０，１６０’…プロセッサ、２００…ｅＮＢ、２０１…アンテナ、２１０…無線送受信機、２２０…ネットワークインターフェイス、２３０…メモリ、２４０，２４０’…プロセッサ、３００…ＭＭＥ／Ｓ−ＧＷ
【図１】
2015159490.tif 000003
【図２】
2015159490.tif 000004
【図３】
2015159490.tif 000005
【図４】
2015159490.tif 000006
【図５】
2015159490.tif 000007
【図６】
2015159490.tif 000008
【図７】
2015159490.tif 000009
【図８】
2015159490.tif 000010
【図９】
2015159490.tif 000011
【図１０】
2015159490.tif 000012
【図１１】
2015159490.tif 000013